(57)【特許請求の範囲】
【請求項１】
回路基板上の実装部品を保護する保護プレートを貫通して、前記回路基板上にコイン型電池の装着するコイン型電池の保持装置において、
前記保護プレートに形成され、前記コイン型電池を径方向に保持する貫通開口と、
通電部で前記回路基板上に形成した電源用ランドに接続され、接点部で前記コイン型電池の裏面に接触する第１接続端子と、
通電部で前記回路基板上に形成した電源用ランドに接続され、接点部で前記コイン型電池の表面に接触する第２接続端子とを備え、
前記第１接続端子の接点部および前記第２接続端子の接点部は、前記コイン型電池を相互に圧接挟持する板ばねでそれぞれ構成され、
前記第２接続端子は、その接点部を前記コイン型電池に圧接可能であって且つ当該コイン型電池の離脱を阻止可能な状態で、前記保護プレートおよび前記回路基板の少なくとも一方に装着され、
前記回路基板の前記第１接続端子が面する部分には、当該第１接続端子の揺動による不具合を回避するための逃げ開口が形成されていることを特徴とするコイン型電池の保持装置。
【請求項２】
回路基板上の実装部品を保護する保護プレートを貫通して、前記回路基板上にコイン型電池の装着するコイン型電池の保持装置において、
前記保護プレートに形成され、前記コイン型電池を径方向に保持する貫通開口と、
通電部で前記回路基板上に形成した電源用ランドに接続され、接点部で前記コイン型電池の裏面に接触する第１接続端子と、
通電部で前記回路基板上に形成した電源用ランドに接続され、接点部で前記コイン型電池の表面に接触する第２接続端子とを備え、
前記第１接続端子の接点部および前記第２接続端子の接点部は、前記コイン型電池を相互に圧接挟持する板ばねでそれぞれ構成され、
前記第２接続端子は、その接点部を前記コイン型電池に圧接可能であって且つ当該コイン型電池の離脱を阻止可能な状態で、前記保護プレートおよび前記回路基板の少なくとも一方に装着され、
前記回路基板の前記コイン型電池が面する部分には、前記貫通開口に合致すると共に、当該コイン型電池の一部を径方向に保持する開口が形成されていることを特徴とするコイン型電池の保持装置。
【請求項３】
回路基板上の実装部品を保護する保護プレートを貫通して、前記回路基板上にコイン型電池の装着するコイン型電池の保持装置において、
前記保護プレートに形成され、前記コイン型電池を径方向に保持する貫通開口と、
通電部で前記回路基板上に形成した電源用ランドに接続され、接点部で前記コイン型電池の裏面に接触する第１接続端子と、
通電部で前記回路基板上に形成した電源用ランドに接続され、接点部で前記コイン型電池の表面に接触する第２接続端子とを備え、
前記第１接続端子の接点部および前記第２接続端子の接点部は、前記コイン型電池を相互に圧接挟持する板ばねでそれぞれ構成され、
前記第２接続端子は、その接点部を前記コイン型電池に圧接可能であって且つ当該コイン型電池の離脱を阻止可能な状態で、前記保護プレートおよび前記回路基板の少なくとも一方に装着され、
前記保護プレートおよび前記回路基板の少なくとも一方は、前記貫通開口の近傍に配置した複数の掛止受け部を有し、
前記第２接続端子は、その外周部に前記複数の掛止受け部の対応する複数の掛止部を有し、
前記第２接続端子は、前記各掛止部を前記各掛止受け部にスナップイン形式で掛け止めすることで、前記保護プレートおよび前記回路基板の少なくとも一方に装着されていることを特徴とするコイン型電池の保持装置。
【請求項４】
回路基板上の実装部品を保護する保護プレートを貫通して、前記回路基板上にコイン型電池の装着するコイン型電池の保持装置において、
前記保護プレートに形成され、前記コイン型電池を径方向に保持する貫通開口と、
通電部で前記回路基板上に形成した電源用ランドに接続され、接点部で前記コイン型電池の裏面に接触する第１接続端子と、
通電部で前記回路基板上に形成した電源用ランドに接続され、接点部で前記コイン型電池の表面に接触する第２接続端子とを備え、
前記第１接続端子の接点部および前記第２接続端子の接点部は、前記コイン型電池を相互に圧接挟持する板ばねでそれぞれ構成され、
前記第２接続端子は、その接点部を前記コイン型電池に圧接可能であって且つ当該コイン型電池の離脱を阻止可能な状態で、前記保護プレートおよび前記回路基板の少なくとも一方に装着され、
前記第２接続端子の通電部は、それぞれがばね性を有し対応する前記電源用ランドに直接接続される複数の通電ばね部を有し、
前記各通電ばね部は、前記第２接続端子を前記保護プレートおよび前記回路基板の少なくとも一方に装着した状態で前記電源用ランドに圧接されていることを特徴とするコイン型電池の保持装置。
【発明の詳細な説明】
【０００１】
【発明の属する技術分野】
本発明は、例えばフィルムに日付けや時刻等の撮影データを写し込むカメラ用データ写込み装置等の小型電子機器に備えるコイン型電池の保持装置に関するものである。
【０００２】
【従来の技術】
従来、この種のコイン型電池の保持機構として、例えば特開平９−２９２６５４号公報に記載のデータ写込み装置に備えたものが知られている。このデータ写込み装置では、表保護プレートと裏保護プレートとの間に、写込み用の各種の電子部品や回路基板をサンドイッチすると共に、表保護プレートの一部に形成した電池ホルダに写込み専用のコイン型電池を収容して、構成されている。表保護プレートの表側には、環状に突出させた円形壁により、円形浅溝状の電池ホルダが形成されている。一方、コイン型電池の両電極に接続される一方の接続端子は、電池ホルダを含む表保護プレートの表面全域を覆っており、コイン型電池に面する部分には、コイン型電池の表面中央（プラス電極）に３点で接触する接点部が形成されている。接点部には３方に延びるばね部が設けられており、このばね部がカメラ本体側に当接することで、接点部がコイン型電池の表面（電極）圧接されるようになっている。また、他方の接続端子は、コイン型電池の外周面（電極）の一部にばね性を持って圧接される。
【０００３】
【発明が解決しようとする課題】
このような従来のコイン型電池の保持機構では、コイン型電池は、一方の接続端子により電池ホルダの底面に押圧され、他方の接続端子により電池ホルダの内周面に押圧されており、これら接続端子のばね性により落下衝撃などを吸収する。しかし、コイン型電池に加わる衝撃が、コイン型電池を電池ホルダの底面や内周面に衝突させる方向に加わると、コイン型電池がこれらの面に当たって弾み、この弾みに対し各接続端子の撓み（復元）が追従しきれなくなることがある。このため、瞬間的に接続端子がコイン型電池から離れてしまい、計時データ（写込みデータ）がリセットされてしまう問題があった。また、データ写込み装置をカメラ本体にセットしたときに、接続端子のばね部がカメラ本体側に当接する構造であるため、この反力を受け得るようにカメラ本体側の取付構造或いは取付工程が複雑になる問題があった。
【０００４】
本発明は、接続端子をコイン型電池に自己完結的に圧接させることができると共に、衝撃によるコイン型電池の接触不良を回避することができるコイン型電池の保持装置を提供することをその目的としている。
【０００５】
【課題を解決するための手段】
本発明のコイン型電池の保持装置は、回路基板上の実装部品を保護する保護プレートを貫通して、回路基板上にコイン型電池の装着するコイン型電池の保持装置において、保護プレートに形成され、コイン型電池を径方向に保持する貫通開口と、通電部で回路基板上に形成した電源用ランドに接続され、接点部でコイン型電池の裏面に接触する第１接続端子と、通電部で回路基板上に形成した電源用ランドに接続され、接点部でコイン型電池の表面に接触する第２接続端子とを備え、第１接続端子の接点部および第２接続端子の接点部は、コイン型電池を相互に圧接挟持する板ばねでそれぞれ構成され、第２接続端子は、その接点部をコイン型電池に圧接可能であって且つコイン型電池の離脱を阻止可能な状態で、保護プレートおよび回路基板の少なくとも一方に装着され、回路基板の第１接続端子が面する部分には、当該第１接続端子の揺動による不具合を回避するための逃げ開口が形成されていることを特徴とする。
【０００６】
この構成によれば、板ばねで構成された第１接続端子の接点部および第２接続端子の接点部により、コイン型電池が表裏両側から圧接挟持されるため、落下衝撃などに対し、一方の接続端子がこれを吸収しながら撓み、他方の接続端子がこれに追従して復元する動きとなるが、衝撃によるコイン型電池の移動速度は、一方の接続端子のばね力で極端に減速されるため、他方の接続端子の追従が遅れることがない。すなわち、コイン型電池の表裏に対峙する接続端子により、衝撃に対するコイン型電池の急激な動きが抑制されるため、接続端子がコイン型電池（の電極）から離れる（接続不良）のを確実に防止することができる。
また、保護プレートに形成した貫通開口により、コイン型電池を径方向に保持するようにしているため、有底の電池ホルダを省略することができる。
さらに、第２接続端子が、その接点部をコイン型電池に圧接可能であって且つコイン型電池の離脱を阻止可能な状態で、保護プレートおよび／または回路基板に装着されているため、コイン型電池の離脱を阻止できると共に、外力を必要とすることなく、第２接続端子をコイン型電池に圧接しておくことができる。
また、第１接続端子のばねストロークを犠牲にすることなく、コイン型電池を回路基板に近づけて設置することができ、保持機構廻りを薄手に構成することができる。
【００１１】
本発明の他のコイン型電池の保持装置は、回路基板上の実装部品を保護する保護プレートを貫通して、回路基板上にコイン型電池の装着するコイン型電池の保持装置において、保護プレートに形成され、コイン型電池を径方向に保持する貫通開口と、通電部で回路基板上に形成した電源用ランドに接続され、接点部でコイン型電池の裏面に接触する第１接続端子と、通電部で回路基板上に形成した電源用ランドに接続され、接点部でコイン型電池の表面に接触する第２接続端子とを備え、第１接続端子の接点部および第２接続端子の接点部は、コイン型電池を相互に圧接挟持する板ばねでそれぞれ構成され、第２接続端子は、その接点部をコイン型電池に圧接可能であって且つ当該コイン型電池の離脱を阻止可能な状態で、保護プレートおよび回路基板の少なくとも一方に装着され、回路基板のコイン型電池が面する部分には、貫通開口に合致すると共に、当該コイン型電池の一部を径方向に保持する開口が形成されていることを特徴とする。
【００１２】
この構成によれば、板ばねで構成された第１接続端子の接点部および第２接続端子の接点部により、コイン型電池が表裏両側から圧接挟持されるため、落下衝撃などに対し、一方の接続端子がこれを吸収しながら撓み、他方の接続端子がこれに追従して復元する動きとなるが、衝撃によるコイン型電池の移動速度は、一方の接続端子のばね力で極端に減速されるため、他方の接続端子の追従が遅れることがない。すなわち、コイン型電池の表裏に対峙する接続端子により、衝撃に対するコイン型電池の急激な動きが抑制されるため、接続端子がコイン型電池（の電極）から離れる（接続不良）のを確実に防止することができる。
また、保護プレートに形成した貫通開口により、コイン型電池を径方向に保持するようにしているため、有底の電池ホルダを省略することができる。
さらに、第２接続端子が、その接点部をコイン型電池に圧接可能であって且つコイン型電池の離脱を阻止可能な状態で、保護プレートおよび／または回路基板に装着されているため、コイン型電池の離脱を阻止できると共に、外力を必要とすることなく、第２接続端子をコイン型電池に圧接しておくことができる。
また、保持機構廻りを薄手に構成することができる。
【００１９】
本発明の他のコイン型電池の保持装置は、回路基板上の実装部品を保護する保護プレートを貫通して、回路基板上にコイン型電池の装着するコイン型電池の保持装置において、保護プレートに形成され、コイン型電池を径方向に保持する貫通開口と、通電部で回路基板上に形成した電源用ランドに接続され、接点部でコイン型電池の裏面に接触する第１接続端子と、通電部で回路基板上に形成した電源用ランドに接続され、接点部でコイン型電池の表面に接触する第２接続端子とを備え、第１接続端子の接点部および第２接続端子の接点部は、コイン型電池を相互に圧接挟持する板ばねでそれぞれ構成され、第２接続端子は、その接点部をコイン型電池に圧接可能であって且つ当該コイン型電池の離脱を阻止可能な状態で、保護プレートおよび回路基板の少なくとも一方に装着され、保護プレートおよび回路基板の少なくとも一方は、貫通開口の近傍に配置した複数の掛止受け部を有し、第２接続端子は、その外周部に複数の掛止受け部の対応する複数の掛止部を有し、第２接続端子は、各掛止部を各掛止受け部にスナップイン形式で掛け止めすることで、保護プレートおよび回路基板の少なくとも一方に装着されていることを特徴とする。
【００２０】
この構成によれば、板ばねで構成された第１接続端子の接点部および第２接続端子の接点部により、コイン型電池が表裏両側から圧接挟持されるため、落下衝撃などに対し、一方の接続端子がこれを吸収しながら撓み、他方の接続端子がこれに追従して復元する動きとなるが、衝撃によるコイン型電池の移動速度は、一方の接続端子のばね力で極端に減速されるため、他方の接続端子の追従が遅れることがない。すなわち、コイン型電池の表裏に対峙する接続端子により、衝撃に対するコイン型電池の急激な動きが抑制されるため、接続端子がコイン型電池（の電極）から離れる（接続不良）のを確実に防止することができる。
また、保護プレートに形成した貫通開口により、コイン型電池を径方向に保持するようにしているため、有底の電池ホルダを省略することができる。
さらに、第２接続端子が、その接点部をコイン型電池に圧接可能であって且つコイン型電池の離脱を阻止可能な状態で、保護プレートおよび／または回路基板に装着されているため、コイン型電池の離脱を阻止できると共に、外力を必要とすることなく、第２接続端子をコイン型電池に圧接しておくことができる。
また、保護プレートの貫通開口にコイン型電池を投入した後、第２接続端子をスナップイン形式で保護プレートおよび／または回路基板に装着することで、コイン型電池が離脱しないように且つ第２接続端子を適切にセットすることができる。
【００２１】
本発明の他のコイン型電池の保持装置は、回路基板上の実装部品を保護する保護プレートを貫通して、回路基板上にコイン型電池の装着するコイン型電池の保持装置において、保護プレートに形成され、コイン型電池を径方向に保持する貫通開口と、通電部で回路基板上に形成した電源用ランドに接続され、接点部でコイン型電池の裏面に接触する第１接続端子と、通電部で回路基板上に形成した電源用ランドに接続され、接点部でコイン型電池の表面に接触する第２接続端子とを備え、第１接続端子の接点部および第２接続端子の接点部は、コイン型電池を相互に圧接挟持する板ばねでそれぞれ構成され、第２接続端子は、その接点部をコイン型電池に圧接可能であって且つ当該コイン型電池の離脱を阻止可能な状態で、保護プレートおよび回路基板の少なくとも一方に装着され、第２接続端子の通電部は、それぞれがばね性を有し対応する電源用ランドに直接接続される複数の通電ばね部を有し、各通電ばね部は、第２接続端子を保護プレートおよび回路基板の少なくとも一方に装着した状態で電源用ランドに圧接されていることを特徴とする。
【００２２】
この構成によれば、板ばねで構成された第１接続端子の接点部および第２接続端子の接点部により、コイン型電池が表裏両側から圧接挟持されるため、落下衝撃などに対し、一方の接続端子がこれを吸収しながら撓み、他方の接続端子がこれに追従して復元する動きとなるが、衝撃によるコイン型電池の移動速度は、一方の接続端子のばね力で極端に減速されるため、他方の接続端子の追従が遅れることがない。すなわち、コイン型電池の表裏に対峙する接続端子により、衝撃に対するコイン型電池の急激な動きが抑制されるため、接続端子がコイン型電池（の電極）から離れる（接続不良）のを確実に防止することができる。
また、保護プレートに形成した貫通開口により、コイン型電池を径方向に保持するようにしているため、有底の電池ホルダを省略することができる。
さらに、第２接続端子が、その接点部をコイン型電池に圧接可能であって且つコイン型電池の離脱を阻止可能な状態で、保護プレートおよび／または回路基板に装着されているため、コイン型電池の離脱を阻止できると共に、外力を必要とすることなく、第２接続端子をコイン型電池に圧接しておくことができる。
また、第２接続端子を保護プレートおよび回路基板の少なくとも一方に装着することで、第２接続端子の通電部を自動的に電源用ランドに圧接することができる。また、第２接続端子はその複数の通電ばね部を、電源用ランドに直接接触させるようにしているため、通電部が電源用ランドから離れる確率を低く押さえることができる。これにより、電源用ランドに対する第２接続端子の安定な接続状態を維持することができる。
【００２３】
同様に、第２接続端子の通電部は、それぞれがばね性を有し対応する電源用ランドに直接接続される複数の通電ばね部を有し、各通電ばね部は、各掛止部の近傍および先端のいずれか一方から延在し且つ第２接続端子を保護プレートおよび／または回路基板に装着した状態で電源用ランドに圧接されていることが、好ましい。
【００２４】
この構成によれば、電源用ランドに対する第２接続端子の安定な接続状態を維持することができると共に、各通電ばね部が各掛止部の近傍および先端のいずれか一方から延在しているため、電源用ランドの反力を各掛止部を介して保護プレートや回路基板に逃がすことができ、第２接続端子が浮き上がるのを防止することができる。
【００３５】
【発明の実施の形態】
以下、添付の図面を参照して、本発明の一実施形態に係るコイン型電池の保持装置を備えたカメラ用データ写込み装置について説明する。このデータ写込み装置は、カメラ本体の裏蓋に組み込まれ、カメラ本体のフィルムに、日付け、時刻等（データ）を裏側から写し込むものである。図１はデータ写込み装置の外観図であり、図２はその分解斜視図である。両図に示すように、このデータ写込み装置１は、表保護プレート２ａと裏保護プレート２ｂとから成るケース体２の内部に、回路基板３を挟んで構成されている。また、表保護プレート２ａを貫通するようにして、写込み専用のコイン型電池４が搭載されている。
【００３６】
表保護プレート２ａと回路基板３との間には、写込み表示パネル５がこれらに挟持されるようにして配設され、また回路基板３の表面には、表保護プレート２ａにより保護されるようにして、写込み光源となるランプ６、計時用の水晶発振子７および制御用のＩＣ８などが実装されている。なお、図示していないが、回路基板３の表面には、構成部品間を接続する回路配線が形成されている。
【００３７】
表保護プレート２ａは、カメラ本体のフィルム側に配設されおり、回路基板３の各種の端子などが臨む切欠き部１０を有して、略方形に形成されている。また、表保護プレート２ａには、裏面側から上記の写込み表示パネル５が臨む写込み開口部１１が突出形成されると共に、この写込み開口部１１を逃げた位置に、上記のコイン型電池４を装着するための貫通開口１２が形成されている。写込み開口部１１は、裏蓋１０７に設けたフィルム押さえ板１０６を貫通し、微小間隔を存してフィルム１０３に面している（図４参照）。
【００３８】
貫通開口１２は、コイン型電池４の外周面と相補的形状の内周面を有して円形に形成され、装着したコイン型電池４を径方向に保持できるようになっている。貫通開口１２の縁部には、後述するプラス接続端子３１が掛け止めされる一対の掛止受け部１３，１３が形成されており、一対の掛止受け部１３，１３は相互に１８０°点対称位置に配設されている。（詳細は後述する）。一方、表保護プレート２ａの内面側には、分散するようにして複数本（６本）のかしめピン１４が一体に形成され、このかしめピン１４に回路基板３および裏保護プレート２ｂを挿通して熱かしめを行うことにより、表保護プレート２ａ、回路基板３および裏保護プレート２ｂが一体的に組み立てられている。
【００３９】
裏保護プレート２ｂは、カメラ本体の裏蓋側に配設されており、表保護プレート２ａのかしめピン１４に対応する複数の挿通孔１６が形成されている。また、上記ランプ６の光路に面する部分には、フィルムにコヒーレントな光を照射すべく、断面三角形の複数の突起１７が形成されている。図示では省略しているが、表保護プレート２ａにもこの複数の突起１７に対応して複数の突起が形成されており、ランプ６の光路に複数のスリット部を構成している。なお、図中の符号１８は、ランプ６の光軸に対し４５°の角度で配設されたミラーであり、このミラー１８により、ランプ６の照射光（写込み光）は直角に屈曲し、写込み表示パネル５を通過してフィルムに照射される。
【００４０】
写込み表示パネル５は、対面するフィルムに日付け、時刻等を写し込む際のマスクを構成するものであり、日付け、時刻等を透明部分で表示する透過型のものである。写込み表示パネル５は、写込み用ＬＣＤ５ａと、これを保持するＬＣＤホルダ５ｂとで一体に形成されており、表保護プレート２ａの写込み開口部１１に内側から嵌合した状態で、回路基板３との間に介在させたコネクタゴム１９で押圧固定され、且つ回路基板３側と電気的に接続されている。
【００４１】
図２および図３に示すように、回路基板３の表面には、ランプ６、水晶発振子７およびモールドされた制御用のＩＣ８が実装されると共に、制御用のＩＣ８に付随する各種チップコンデンサ２０、および外部入力用の各種接点２１，２２，２３，２４が実装されている（詳細は後述する）。また、２つのプラス電源用ランド２５，２５および２つのマイナス電源用ランド２６，２６が形成され、２つのプラス電源用ランド２５，２５にはプラス接続端子３１が、２つのマイナス電源用ランド２６，２６にはマイナス接続端子３２が、それぞれ接続されるようになっている（詳細は後述する）。
【００４２】
ランプ６は、写込み用表示パネル５をマスクとして、これに表示した日付け、時刻等をフィルムに露光（写し込む）するものであり、タングステンランプやＬＥＤランプ等で構成されている。また、外部入力用の各種接点には、写込みのためのトリガ信号を入力する写込み用接点２１と、写込みのためのＯＮ信号を入力する写込みＯＮ用接点２２と、写込みをキャンセルするためのキャンセル信号を入力する写込みキャンセル用接点２３と、モード切替および日時合わせのためのデート信号を入力する日時合わせ用接点２４とが設けられている。なお、これらの接点の一部または前部を回路基板３の裏面に設けるようにしてもよい。
【００４３】
写込み用接点２１は、例えば図４に示すカメラ本体１００のレリーズ（ＯＮ）１０１から出力されるレリーズ信号を、写込み（ランプ点灯）のためのトリガ信号として入力する。この場合には、レリーズ１０１の押釦に同期してデータの写込みが行われる。写込みＯＮ用接点２２は、例えば同図に示すように、カメラ本体１００のレリーズ１０１とは別に写込みスイッチ１０２を設けた場合に、そのＯＮ信号を入力する。この場合のデータの写込みは、レリーズ１０１とは同期せず、写し込むか否かを含め、フィルム１０３を巻き上げるまでに適宜、ユーザーが写込みスイッチ１０２をＯＮすることで、データの写込みが行われる。
【００４４】
写込みキャンセル用接点２３は、レリーズ１０１の押釦に同期してデータの写込みが行われる場合であって、例えば同図に示すように、カメラ本体１００に設けたキャンセルスイッチ１０４或いはデータ写込み装置１自体に設けた発光キャンセルスイッチ（後述）１１０により、写込みをキャンセルするキャンセル信号をを入力する。日時合わせ用接点２４は、例えば同図に示すのように、カメラ本体１００が日付表示等のカウンター１０５がある場合に、そのデート信号を入力する。この場合には、カメラ本体１００が持つ日時データと同一のデータにより写込みが行われる。
【００４５】
なお、日時合わせ用接点２４を利用したデート信号の入力は、例えば図５に示すような、日時設定装置１３０で行うようにしてもよい。日時設定装置１３０は、データ写込み装置１をセットするセットテーブル１３１と、セットしたデータ写込み装置１の日時合わせ用接点２４に接続されるブローブ１３２と、ブローブ１３２を介してデート信号を出力する装置本体１３３とで構成されている。装置本体１３３には、セットボタンやセレクトボタン等のボタン群１３４が設けられ、ディスプレイ１３５を見ながら日付け、時刻等を入力設定ができるようになっている。なお、日時設定装置１３０は、出荷元に備える他、ＤＰＥ等に備えることが望ましい。
【００４６】
ところで、カメラ本体１００のレリーズ１０１に同期させてデータの写込みを行う場合には、撮像対象により或いはデート信号の不具合により、データを写し込まないとする選択を行えることが好ましい。図６および図７は、このような要望に応える構造のデータ写込み装置（他の実施形態）１である。図６の実施形態では、写込み表示パネル５が臨む写込み開口部１１に、ランプ６の写込み光を遮蔽するシャッター１２０を組み込んでいる。このシャッター１２０は、スライド式のシャッターであり、シャッター摘み１２１を左右に操作することで、シャッター本体１２２が開閉し、写込み開口部１１の開放および閉塞が可能になる。この場合、シャッター１２０を閉位置に移動させておけば、レリーズ信号によりランプ６が点灯しても、写込み光を遮蔽されデータの写込みは行われない。そして、図４に示すように、このシャッター摘み１２１は、カメラ本体１００のフィルム押さえ板１０６の表面に露出しており、裏蓋１０７を開放して操作できるようになっている。
【００４７】
図７の実施形態では、表保護プレート２ａを貫通して回路基板３上に、上記の写込みキャンセル用接点２３に接続された発光キャンセルスイッチ１１０が設けられている。発光キャンセルスイッチ１１０をＯＮ（或いはＯＦＦ）しておくことで、レリーズ信号がキャンセルされ、レリーズ１０１を押釦してもランプ６は点灯せず、データの写込みは行われない。この場合も、発光キャンセルスイッチ１１０は、カメラ本体１００の裏蓋１０７を開放して操作できるようになっている（図４参照）。なお、データ写込み装置１をレンズ付きフィルムなどの使捨て形式のカメラ本体に搭載する場合には、上記のシャッタ摘み１２１や発光キャンセルスイッチ１１０は、カメラ本体の外部に突出させ、外部から操作可能とすることが、好ましい。
【００４８】
次に、図２、図３および図８を参照して、コイン型電池４廻りの構造について詳細に説明する。上述したように、コイン型電池４は、プラス電極４ａをフィルム側（表側）に、マイナス電極４ｂを回路基板３側（裏側）に向けた姿勢で、表保護プレート２ａの貫通開口１２に挿入され、この状態で表側に配設したプラス接続端子３１、および裏側に配接したマイナス接続端子３２により、回路基板３から幾分浮いた状態に挟持されている。なお、コイン型電池４は、これが搭載されるカメラの耐用年数に合わせた容量のものとするが、これを充電可能な２次電池としてもよい。かかる場合には、小型のコイン型電池とする。
【００４９】
マイナス接続端子３２は、導電性を有する板ばねをプレス加工して形成され、上記のマイナス電源用ランド２６に接続される導電部４１と、コイン型電池４の裏面中央部（マイナス電極４ｂ）に接続される接点部４２とで、一体に形成されている。導電部４１は、回路配線（図示せず）を跨ぐように「Ω」字状に屈曲形成され、２箇所の導電部位４１ａ，４１ａで上記２つのマイナス電源用ランド２６，２６に半田付けされている。そして、この２箇所の半田付けにより、マイナス接続端子３２およびマイナス電源用ランド２６間における接続の信頼性を高めている。
【００５０】
接点部４２は、導電部４１に連なる基部４３と、基部４３から二股に延びる２本の接触ばね部４４，４４とで構成され、各接触ばね部４４の先端には、コイン型電池４の裏面に直接接触する接触部位４４ａが突出形成されている。すなわち、接触ばね部４４のばね力により、接触部位４４ａが下側からコイン型電池４の裏面に圧接されている。この場合、導電部４１はコイン型電池４の投影部の外側に位置しており、ばね性を有してコイン型電池４に圧接される接点部４２の長さを十分に長く執れるようになっている。この場合も、２本の接触ばね部４４，４４により、マイナス接続端子３２およびコイン型電池４のマイナス電極４ｂ間における接続の信頼性を高めている。
【００５１】
回路基板３における２本の接触ばね部４４，４４が面する部分には逃げ開口３３が形成されており、先上がりに屈曲形成された２本の接触ばね部４４，４４は、この逃げ開口３３に臨むように配設されている。これにより、コイン型電池４の揺れに追従して接触ばね部４４が揺動しても、接触ばね部４４が回路配線３に接触するなどの不具合を回避することができる。また、コイン型電池４を回路基板３に近づけて配置することができる。なお、コイン型電池４は、衝撃などで揺れても回路基板３に接触しない程度に近づけて配置するが、回路配線３への接触を確実に防止すべく、回路基板３上に複数（２〜３個）のストッパ突起を設けるようにしてもよい。或いは、回路基板３のコイン型電池４が面する部分には回路配線を行わない構造にしてもよい。
【００５２】
図９は、コイン型電池４廻りの他の実施形態であり、この実施形態では、回路基板３のコイン型電池４が面する部分に円形開口３４が形成されている。すなわち、円形開口３４は、表保護プレート２ａに形成した上記の貫通開口１２に連なり、且つほぼ同一の大きさ（同一径）に形成されている。これにより、コイン型電池４は、その下部がわずかに円形開口３４に挿入されるようにして、装着される。このような構成では、接触ばね部４４の逃げ空間をとることができると共に、コイン型電池４を円形開口３４に挿入した分、データ写込み装置１全体を薄型化することができる。
【００５３】
プラス接続端子３１は表保護プレート２ａに掛け止めされて、コイン型電池４を押さえており、表保護プレート２ａの貫通開口１２を電池ケースと見立てた場合の蓋体的な形態を有している。プラス接続端子３１もマイナス接続端子３２と同様に、導電性を有する板ばねをプレス加工して形成されており、蓋体的な形態を有する端子本体５１と、端子本体５１から延在する導電部５２、接点部５３および一対の掛止部５４，５４とで、一体に形成されている。
【００５４】
端子本体５１は、略菱形平板状に形成され、コイン型電池４を径方向に跨ぐように配設されている。一対の掛止部５４，５４は、端子本体５１の両端部の延長部分を折り曲げ、この部分に方形の切欠き孔５４ａを形成したものであり、上記の表保護プレート２ａに形成した各掛止受け部１３のフック部１３ａにこの切欠き孔５４ａがそれそれ掛け止めされるようになっている。すなわち、表保護プレート２ａの両掛止受け部１３，１３に両掛止部５４，５４を位置合わせした後、プラス接続端子３１を押し込むと、両掛止部５４，５４が押し開かれ、いわゆるスナップイン形式で両掛止受け部１３，１３に係止される。これにより、マイナス接続端子３２を受けとして、貫通開口１２に投入されたコイン型電池４を押さえるようにプラス接続端子３１が、表保護プレート２ａに装着される。
【００５５】
導電部５２は、一対の導電ばね部５６，５６から成り、各導電ばね部５６は掛止部５４の近傍から延在し、斜め下方に向かって延びている。各導電ばね部５６の先端部は反るように屈曲しており、この部分で上記のプラス電源用ランド２５にそれぞれ接続されている。すなわち、プラス接続端子３１を表保護プレート２ａに装着した状態で、一対の導電ばね部５６，５６は回路基板３上の２つのプラス電源用ランド２５，２５に圧接されるようになっている。この場合も、一対の導電ばね部５６，５６により、プラス接続端子３１およびプラス電源用ランド２５間における接続の信頼性を高めている。
【００５６】
図１０は、プラス接続端子３１の他の実施形態を表している。この実施形態では、プラス接続端子３１が略三角形の平面形状を有し、３つの角部に設けた掛止部５４，５４，５４により、表保護プレート２ａに形成した３つの掛止受け部１３，１３，１３に掛け止めされている。そして、手前の１つの掛止部５４の基部から、左右に導電部５２，５２が延在している。このような構成では、プラス接続端子３１を表保護プレート２ａに安定に保持することができると共に、一対の導電ばね部５６，５６の２つのプラス電源用ランド２５，２５への圧接をより安定なものとすることができる。
【００５７】
なお、図１１に示すように（他の実施形態）、導電ばね部５６は掛止部５４の近傍ではなく、掛止部５４の先端に延設するようにしてもよい。すなわち、掛止部５４の先端を延長し、反るように屈曲させて導電ばね部５６を形成する。この実施形態では、スナップイン形式で掛止部５４を掛止受け部１３に係止した状態で、導電ばね部５６がプラス電源用ランド２５に圧接状態となる。もちろん、同図に示すように、一対の導電ばね部５６，５６のうち一方のみ、上記の構造としてもよい。
【００５８】
接点部５３は、一対の接触ばね部５７，５７から成り、コイン型電池４の表面中央部（プラス電極４ａ）にそれぞれ接続されている。一対の接触ばね部５７，５７、端子本体５１の中央部分を略「Ｓ」字状に切り抜き、その残余部分の２片を斜め下方に折り曲げて形成されている。これにより、一対の接触ばね部５７，５７は、相互に隣接し且つ相互に反転した配置となっている。また、各接触ばね部５７の先端には、マイナス接続端子３２の場合と同様に、コイン型電池４の表面に直接接触する接触部位５７ａが突出形成されている。すなわち、接触ばね部５７のばね力と端子本体５１のばね力により、接触部位５７ａが上側からコイン型電池４の表面に圧接されている。
【００５９】
この場合も、２本の接触ばね部５７，５７により、プラス接続端子３１およびコイン型電池４のプラス電極４ａ間における接続の信頼性を高めている。特に、一対の接触ばね部５７，５７を相互に反転した配置としているため、圧接力のバランスが良好になると共に、相互の接触部位５７ａ，５７ａを対角位置に配設することができるため、より一層、接続の信頼性を高めることができる。また、「Ｓ」字状の切抜きにより、端子本体５１の剛性の低下を最小限に押さえることができる。
【００６０】
さらに、図３に示すように、コイン型電池４を挟持するように配設した、プラス接続端子３１の接触部位５７ａ，５７ａとマイナス接続端子３２の接触部位４４ａ，４４ａとは、平面視略十字状に配設されている。より具体的には、一方の２つの接触部位５７ａ，５７ａを結んだ線と、他方の２つの接触部位４４ａ，４４ａを結んだ線とが、略十字状に交わっている。このため、コイン型電池４の揺動が偏ることなく、軸線方向に規制される。したがって、この点でも、両接触部位５７ａ，４４ａの接続の信頼性を高めることができる。
【００６１】
以上の構成では、コイン型電池４は、軸方向において、回路基板３に固定したマイナス接続端子３２と表保護プレート２ａに装着したプラス接続端子３１とにより、挟持されるようにして支持され、径方向において、表保護プレート２ａに形成した貫通開口１２により、囲繞されるようにして保持される。すなわち、プラス接続端子３１、マイナス接続端子３２および貫通開口１２により、コイン型電池４の保持機構が構成されている。なお、この実施形態では、プラス接続端子３１を表保護プレート２ａに掛止め（装着）しているが、これを回路基板３に掛止め（装着）するようにしてもよい。かかる場合には、コイン型電池４に対するプラス接続端子３１とマイナス接続端子３２の挟持力が、表保護プレート２ａや回路基板３との接続部分等に逃げてしまうのを極力防止することができる。
【００６２】
以上のように本実施形態によれば、貫通開口１２で囲繞したコイン型電池４を、プラス接続端子３１とマイナス接続端子３２とで、表裏方向から圧接支持するようにしているため、衝撃を受けてコイン型電池４が揺動しても、両接続端子３１，３２が追従遅れを生ずることなく揺動し、両接続端子３１，３２がコイン型電池４の両電極４ａ，４ｂから離れるのを確実に防止することができる。したがって、衝撃により日時データがリセットしてしまうのを、防止することができる。
【００６３】
【発明の効果】
以上のように本発明のコイン型電池の保持装置によれば、コイン型電池の表裏に対峙する接続端子により、衝撃に対し接続端子がコイン型電池（の電極）から離れる（接続不良）のを確実に防止することができる。また、有底の電池ホルダを必要としない。更に、コイン型電池の離脱を阻止できると共に、外力を必要とすることなく、第２接続端子をコイン型電池に圧接しておくことができる。したがって、単純な構造で、衝撃によるコイン型電池の接触不良を回避することができる。
【図面の簡単な説明】
【図１】本発明の実施形態に係るデータ写込み装置の外観斜視図である。
【図２】実施形態に係るデータ写込み装置の分解斜視図である。
【図３】実施形態に係るデータ写込み装置の回路基板の平面図である。
【図４】実施形態に係るデータ写込み装置が搭載されたカメラの外観斜視図である。
【図５】本発明の実施形態に係る日時設定装置の外観斜視図である。
【図６】他の実施形態に係るデータ写込み装置の外観斜視図である。
【図７】更に他の実施形態に係るデータ写込み装置の外観斜視図である。
【図８】実施形態に係るデータ写込み装置のコイン型電池廻りの分解斜視図である。
【図９】他の実施形態に係るコイン型電池廻りの分解斜視図である。
【図１０】他の実施形態に係るコイン型電池廻りの平面図である。
【図１１】他の実施形態に係るデータ写込み装置のコイン型電池廻りの分解斜視図である。
【符号の説明】
１  データ写込み装置                ２ａ  表保護プレート
２ｂ  裏保護プレート                    ３  回路基板
４  コイン型電池                    ４ａ  プラス電極
４ｂ  マイナス電極                    １２  貫通開口
１３  掛止受け部                      ２５  プラス電源用ランド
２６  マイナス電源用ランド            ３１  プラス接続端子
３２  マイナス接続端子                ３３  逃げ開口
４１  導電部                          ４２  接点部
４４  接触ばね部                    ４４ａ  接触部位
５１  端子本体                        ５２  導電部
５３  接点部                          ５４  掛止部
５６  導電ばね部                      ５７  接触ばね部
５７ａ  接触部位                      １００  カメラ本体
１０７  裏蓋
【図１】
0003837990.tif 000002
【図２】
0003837990.tif 000003
【図３】
0003837990.tif 000004
【図４】
0003837990.tif 000005
【図５】
0003837990.tif 000006
【図６】
0003837990.tif 000007
【図７】
0003837990.tif 000008
【図８】
0003837990.tif 000009
【図９】
0003837990.tif 000010
【図１０】
0003837990.tif 000011
【図１１】
0003837990.tif 000012